(57)【特許請求の範囲】
【請求項１】
交通機関の利用者に所持されるカードと、移動体の乗降場所に設置される固定基地局と、移動体に積載される移動基地局とを有するカードシステムにおける、無線通信部と、記憶部と、制御部とを有する前記固定基地局が、前記利用者を選別する方法であって、
前記カードから、ＩＤと前記利用者が入力した目的地名とを含む目的地情報を、前記無線通信部を介して受信し、前記記憶部に登録する手順と、
前記移動基地局を積載した移動体の接近時に、該移動基地局から、該移動体の行き先を含む移動体情報を、前記無線通信部を介して受信し、前記記憶部に登録する手順と、
前記制御部により、前記登録された目的地情報と前記登録された移動体情報とから、前記移動体へ乗る予定の利用者を選別する手順と、
前記選別された利用者が所持するカードへ、移動体の接近を通知する情報を、前記無線通信部を介して送信する手順と
を有することを特徴とする利用者選別方法。
【請求項２】
交通機関の利用者に所持されるカードと、移動体の乗降場所に設置される固定基地局と、移動体に積載される移動基地局とを有するカードシステムにおける、無線通信部と、記憶部と、制御部とを有する前記固定基地局が、前記利用者を選別する方法であって、
前記カードから、ＩＤと前記利用者が入力した目的地名とを含む目的地情報を、前記無線通信部を介して受信し、前記記憶部に登録する手順と、
前記移動基地局を積載した移動体の接近時に、該移動基地局から、該移動体の行き先を含む移動体情報を、前記無線通信部を介して受信し、前記記憶部に登録する手順と、
前記制御部により、前記登録された目的地情報と前記登録された移動体情報とから、前記移動体へ乗る予定の利用者を選別する手順と、
前記移動基地局へ、前記選別された利用者に関する情報を、前記無線通信部を介して送信する手順と
を有することを特徴とする利用者選別方法。
【請求項３】
交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、制御部とを有する前記移動基地局が、前記利用者を選別する方法であって、
前記カードから、ＩＤと前記利用者が入力した目的地名とを含む目的地情報を、前記第１の無線通信部を介して受信し、前記記憶部に登録する手順と、
該移動基地局を積載した移動体が接近する前記固定基地局から、該固定基地局が設置された乗降場所に関する乗降場所情報を、前記第２の無線通信部を介して受信し、前記記憶部に登録する手順と、
前記制御部により、前記登録された目的地情報と前記登録された乗降場所情報とから、前記乗降場所で降りる予定の利用者を選別する手順と、
前記選別された利用者が所持するカードに、目的地が接近したことを通知する情報を、前記第１の無線通信部を介して送信する手順と
を有することを特徴とする利用者選別方法。
【請求項４】
交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、情報出力部と、制御部とを有する前記移動基地局が、前記利用者を選別する方法であって、
前記カードから、ＩＤと前記利用者が入力した目的地名とを含む目的地情報を、前記第１の無線通信部を介して受信し、前記記憶部に登録する手順と、
該移動基地局を積載した移動体が接近する前記固定基地局から、該固定基地局が設置された乗降場所に関する乗降場所情報を、前記第２の無線通信部を介して受信し、前記記憶部に登録する手順と、
前記制御部により、前記登録された目的地情報と前記登録された乗降場所情報とから、前記乗降場所で降りる予定の利用者を選別する手順と、
前記情報出力部により、前記選別された利用者に関する情報を通知する手順と
を有することを特徴とする利用者選別方法。
【請求項５】
交通機関の利用者に所持されるカードと、移動体の乗降場所に設置される固定基地局と、移動体に積載される移動基地局とを有するカードシステムにおける、無線通信部と、記憶部と、制御部とを有する前記固定基地局であって、
前記カードから、ＩＤと前記利用者が入力した目的地名とを含む目的地情報を、前記無線通信部を介して受信し、前記記憶部に登録する手段と、
前記移動基地局を積載した移動体の接近時に、該移動基地局から、該移動体の行き先を含む移動体情報を、前記無線通信部を介して受信し、前記記憶部に登録する手段と、
前記制御部により、前記登録された目的地情報と前記登録された移動体情報とから、前記移動体へ乗る予定の利用者を選別する手段と、
前記選別された利用者が所持するカードへ、移動体の接近を通知する情報を、前記無線通信部を介して送信する手段と
を有することを特徴とする固定基地局。
【請求項６】
交通機関の利用者に所持されるカードと、移動体の乗降場所に設置される固定基地局と、移動体に積載される移動基地局とを有するカードシステムにおける、無線通信部と、記憶部と、制御部とを有する前記固定基地局であって、
前記カードから、ＩＤと前記利用者が入力した目的地名とを含む目的地情報を、前記無線通信部を介して受信し、前記記憶部に登録する手段と、
前記移動基地局を積載した移動体の接近時に、該移動基地局から、該移動体の行き先を含む移動体情報を、前記無線通信部を介して受信し、前記記憶部に登録する手段と、
前記制御部により、前記登録された目的地情報と前記登録された移動体情報とから、前記移動体へ乗る予定の利用者を選別する手段と、
前記移動基地局へ、前記選別された利用者に関する情報を、前記無線通信部を介して送信する手段と
を有することを特徴とする固定基地局。
【請求項７】
交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、制御部とを有する前記移動基地局であって、
前記カードから、ＩＤと前記利用者が入力した目的地名とを含む目的地情報を、前記第１の無線通信部を介して受信し、前記記憶部に登録する手段と、
該移動基地局を積載した移動体が接近する前記固定基地局から、該固定基地局が設置された乗降場所に関する乗降場所情報を、前記第２の無線通信部を介して受信し、前記記憶部に登録する手段と、
前記制御部により、前記登録された目的地情報と前記登録された乗降場所情報とから、前記乗降場所で降りる予定の利用者を選別する手段と、
前記選別された利用者が所持するカードに、目的地が接近したことを通知する情報を、前記第１の無線通信部を介して送信する手段と
を有することを特徴とする移動基地局。
【請求項８】
交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、情報出力部と、制御部とを有する前記移動基地局であって、
前記カードから、ＩＤと前記利用者が入力した目的地名とを含む目的地情報を、前記第１の無線通信部を介して受信し、前記記憶部に登録する手段と、
該移動基地局を積載した移動体が接近する前記固定基地局から、該固定基地局が設置された乗降場所に関する乗降場所情報を、前記第２の無線通信部を介して受信し、前記記憶部に登録する手段と、
前記制御部により、前記登録された目的地情報と前記登録された乗降場所情報とから、前記乗降場所で降りる予定の利用者を選別する手段と、
前記情報出力部により、前記選別された利用者に関する情報を通知する手段と
を有することを特徴とする移動基地局。
【発明の詳細な説明】
【０００１】
【発明の属する技術分野】
本発明はＩＣカードを利用したシステムに関するものである。
【０００２】
【従来の技術】
従来公共の交通機関を利用する場合、利用しようとする者は、目的地に行く乗り物とその乗り場を自分で探し出し、料金とその支払い方法を自分で確かめ、また目的地に到着したかどうかの判断は、乗車あるいは乗船中に放送等で示されるアナウンスによって確かめなければならなかった。たとえばバスを利用する場合では、バス停に来たバスが目的地へ行くか行かないかを知る手段は、路線図等で調べ、来たバスの系統表示や行き先を見て確認するか、あるいは運転手や回りの人に聞くしかなかった。ある系統や行き先のバスが接近していることをバス停で表示するシステムはあるが、そのバスに乗る／乗らないの判断は、個人が判断するしか手段はなかった。さらに、料金が先払いなのか後払いなのか、あるいは乗車扉が前か後ろか等も、バス停にはっきり表示されている場合は少なく、また表示されていても消えかけている等、バス乗車に関する情報をバス停留所で得ることは極めて難しい場合が多かった。
【０００３】
目的のバスに乗車した後も、不案内な場所へ行く場合にどの停留所で降りるかは、車中の放送に頼るしかなかった。しかしながら、バスの中はエンジン音や人の会話等で騒がしく、よく聞き取れない場合も多々あり、また、運転手の操作が適切でなく、本来の位置と放送がずれることもしばしば生じていた。さらに、料金が乗車距離に応じて変わる場合では、料金の確認をすることも大変であった。
【０００４】
【発明が解決しようとする課題】
以上のように、初めて行く場所や、日頃あまり利用しない区間等、不案内な土地でバス等の交通機関を利用する場合、交通機関利用に関する情報を得ることは非常に難しく、交通機関を利用するのに勇気がいるのが現状であり、不慣れな路線でも、簡単にかつ安心して交通機関を利用できるシステムが望まれていた。
【０００５】
本発明の目的は、従来交通機関を利用する客が必ず行う必要があった、目的地に行くか行かないかの判断や、料金支払いを、カードを所持することで確実に行うことができる、人に優しいカードシステムを実現することにある。
【０００６】
【課題を解決するための手段】
本発明にかかる利用者選別方法は、交通機関の利用者に所持されるカードと、移動体の乗降場所に設置される固定基地局と、移動体に積載される移動基地局とを有するカードシステムにおける、無線通信部と、記憶部と、制御部とを有する前記固定基地局が、前記利用者を選別する方法であって、前記カードから、ＩＤと前記利用者が入力した目的地名とを含む目的地情報を、前記無線通信部を介して受信し、前記記憶部に登録する手順と、前記移動基地局を積載した移動体の接近時に、該移動基地局から、該移動体の行き先を含む移動体情報を、前記無線通信部を介して受信し、前記記憶部に登録する手順と、前記制御部により、前記登録された目的地情報と前記登録された移動体情報とから、前記移動体へ乗る予定の利用者を選別する手順と、前記選別された利用者が所持するカードへ、移動体の接近を通知する情報を、前記無線通信部を介して送信する手順とを有するものである。
【０００７】
本発明にかかる利用者選別方法は、交通機関の利用者に所持されるカードと、移動体の乗降場所に設置される固定基地局と、移動体に積載される移動基地局とを有するカードシステムにおける、無線通信部と、記憶部と、制御部とを有する前記固定基地局が、前記利用者を選別する方法であって、前記カードから、ＩＤと前記利用者が入力した目的地名とを含む目的地情報を、前記無線通信部を介して受信し、前記記憶部に登録する手順と、前記移動基地局を積載した移動体の接近時に、該移動基地局から、該移動体の行き先を含む移動体情報を、前記無線通信部を介して受信し、前記記憶部に登録する手順と、前記制御部により、前記登録された目的地情報と前記登録された移動体情報とから、前記移動体へ乗る予定の利用者を選別する手順と、前記移動基地局へ、前記選別された利用者に関する情報を、前記無線通信部を介して送信する手順とを有するものである。
【０００８】
また、本発明にかかる利用者選別方法は、交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、制御部とを有する前記移動基地局が、前記利用者を選別する方法であって、前記カードから、ＩＤと前記利用者が入力した目的地名とを含む目的地情報を、前記第１の無線通信部を介して受信し、前記記憶部に登録する手順と、該移動基地局を積載した移動体が接近する前記固定基地局から、該固定基地局が設置された乗降場所に関する乗降場所情報を、前記第２の無線通信部を介して受信し、前記記憶部に登録する手順と、前記制御部により、前記登録された目的地情報と前記登録された乗降場所情報とから、前記乗降場所で降りる予定の利用者を選別する手順と、前記選別された利用者が所持するカードに、目的地が接近したことを通知する情報を、前記第１の無線通信部を介して送信する手順とを有するものである。
【０００９】
さらに、本発明にかかる利用者選別方法は、交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、情報出力部と、制御部とを有する前記移動基地局が、前記利用者を選別する方法であって、前記カードから、ＩＤと前記利用者が入力した目的地名とを含む目的地情報を、前記第１の無線通信部を介して受信し、前記記憶部に登録する手順と、該移動基地局を積載した移動体が接近する前記固定基地局から、該固定基地局が設置された乗降場所に関する乗降場所情報を、前記第２の無線通信部を介して受信し、前記記憶部に登録する手順と、前記制御部により、前記登録された目的地情報と前記登録された乗降場所情報とから、前記乗降場所で降りる予定の利用者を選別する手順と、前記情報出力部により、前記選別された利用者に関する情報を通知する手順とを有するものである。
【００１０】
本発明にかかる固定基地局は、交通機関の利用者に所持されるカードと、移動体の乗降場所に設置される固定基地局と、移動体に積載される移動基地局とを有するカードシステムにおける、無線通信部と、記憶部と、制御部とを有する前記固定基地局であって、前記カードから、ＩＤと前記利用者が入力した目的地名とを含む目的地情報を、前記無線通信部を介して受信し、前記記憶部に登録する手段と、前記移動基地局を積載した移動体の接近時に、該移動基地局から、該移動体の行き先を含む移動体情報を、前記無線通信部を介して受信し、前記記憶部に登録する手段と、前記制御部により、前記登録された目的地情報と前記登録された移動体情報とから、前記移動体へ乗る予定の利用者を選別する手段と、前記選別された利用者が所持するカードへ、移動体の接近を通知する情報を、前記無線通信部を介して送信する手段とを有するものである。
【００１１】
さらに、本発明にかかる固定基地局は、交通機関の利用者に所持されるカードと、移動体の乗降場所に設置される固定基地局と、移動体に積載される移動基地局とを有するカードシステムにおける、無線通信部と、記憶部と、制御部とを有する前記固定基地局であって、前記カードから、ＩＤと前記利用者が入力した目的地名とを含む目的地情報を、前記無線通信部を介して受信し、前記記憶部に登録する手段と、前記移動基地局を積載した移動体の接近時に、該移動基地局から、該移動体の行き先を含む移動体情報を、前記無線通信部を介して受信し、前記記憶部に登録する手段と、前記制御部により、前記登録された目的地情報と前記登録された移動体情報とから、前記移動体へ乗る予定の利用者を選別する手段と、前記移動基地局へ、前記選別された利用者に関する情報を、前記無線通信部を介して送信する手段とを有するものである。
【００１２】
本発明にかかる移動基地局は、交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、制御部とを有する前記移動基地局であって、前記カードから、ＩＤと前記利用者が入力した目的地名とを含む目的地情報を、前記第１の無線通信部を介して受信し、前記記憶部に登録する手段と、該移動基地局を積載した移動体が接近する前記固定基地局から、該固定基地局が設置された乗降場所に関する乗降場所情報を、前記第２の無線通信部を介して受信し、前記記憶部に登録する手段と、前記制御部により、前記登録された目的地情報と前記登録された乗降場所情報とから、前記乗降場所で降りる予定の利用者を選別する手段と、前記選別された利用者が所持するカードに、目的地が接近したことを通知する情報を、前記第１の無線通信部を介して送信する手段とを有するものである。
また、本発明にかかる移動基地局は、交通機関の利用者に所持されるカードと、移動体の乗降場所に設置される固定基地局と、移動体に積載される移動基地局とを有するカードシステムにおける、前記移動体内での無線通信を行う第１の無線通信部と、前記移動体外での無線通信を行う第２の無線通信部と、記憶部と、情報出力部と、制御部とを有する前記移動基地局であって、前記カードから、ＩＤと前記利用者が入力した目的地名とを含む目的地情報を、前記第１の無線通信部を介して受信し、前記記憶部に登録する手段と、該移動基地局を積載した移動体が接近する前記固定基地局から、該固定基地局が設置された乗降場所に関する乗降場所情報を、前記第２の無線通信部を介して受信し、前記記憶部に登録する手段と、前記制御部により、前記登録された目的地情報と前記登録された乗降場所情報とから、前記乗降場所で降りる予定の利用者を選別する手段と、前記情報出力部により、前記選別された利用者に関する情報を通知する手段とを有するものである。
【００１３】
【発明の実施の形態】
本発明は、カードに、入力および出力デバイスを有し、無線で基地局と通信できるカードを使用し、かつ交通機関の乗り場に固定基地局を設置することで、所持者の目的地情報を入力することができ、かつカード所有者が乗り場近くに行くだけで、乗り場に設置した固定基地局との無線通信によって、客のＩＤ情報と目的地を登録できる。また、移動体にも基地局を積載し、カードや固定基地局との無線通信を行うことで、乗り場に接近する移動体の情報を到着前に、乗り場基地局が受け取ることができ、移動体は乗り込む予定の待ち客に通知することができる。
【００１４】
移動体に乗り込む際においても、客がカードを所持して乗り込むことで、行き先を移動体積載基地局へ登録でき、移動体が目的の乗り場に接近することで、降りる予定の客へ通知することができる。さらに、カードに料金支払いに関する情報をも記憶させることで、運賃精算を移動体に乗り降りするだけで行うことができる。以上の作用があいまって、不案内な場所で交通機関を利用するときでも、利用客に負担をかけることなく、安心して交通機関が利用できるシステムが可能になる。以下、図面を参照して本発明の実施形態を詳細に説明する。
【００１５】
図１（ａ），（ｂ）に、本発明のカードシステムの一実施形態として、バスカードへ適用した場合のカードシステムの構成図とカードの一例を示す。１はカード、２はバス停留所、３はバス、４は固定基地局である停留所基地局、５は移動基地局であるバス車載基地局、１１は前記カード１の表示デバイス、１２はファンクション等のボタンまたはキー、１３はカーソルキー、１４はテンキー、１５はサウンダ、４１は前記停留所基地局４の本体、４２はアンテナ、４３は本体とアンテナを結ぶケーブル、５１は前記バス車載基地局５の本体、５２は車外アンテナ、５３は車内アンテナ、５４は前記本体５１と車外アンテナ５２を結ぶケーブルである。
【００１６】
図２，３，４に図１に示したカード１，停留所基地局４，車載基地局５の詳細を示す。
【００１７】
図２において、１１〜１５は図１（ｂ）に示したものと同じであり、１ＡはＩ／Ｏドライバ、１Ｂは記憶回路、１Ｃは制御回路、１Ｄは変復調回路、１ＥはＲＦ（高周波）回路、１Ｆは送受信用のアンテナ、１Ｇは電池を示す。
【００１８】
図３において、４２，４３は図１（ａ）に示したものと同じであり、４４はＲＦ回路、４５は変復調回路、４６は制御回路、４７は記憶回路、４８は電源回路である。
【００１９】
図４において、５２〜５４は図１（ａ）に示したものと同じであり、５５はＲＦ回路、５６は変復調回路、５７は制御回路、５８は記憶回路、５９は電源回路、５ＡはＩ／Ｏドライバ、５Ｂは液晶等のディスプレイ、５Ｃはサウンダ、５Ｄはキー、５Ｅはキーまたはボタンで機能的には図２の符号１１〜１５で示すものと同様である。
【００２０】
図５〜図７に、本発明のカードシステムによる実施形態として、カード１と停留所基地局４間、およびカード１とバス車載基地局（以後、車載基地局と呼ぶ）５間の無線通信には、微弱無線局で規制される範囲の電磁界強度の電波を利用した１０ｍ程度の通信距離を有する方式を、停留所基地局４と車載基地局間５の無線通信には、特定小電力等の比較的強い電磁波を利用した１００ｍ〜数百ｍ程度の通信距離を有する方式を用いた場合を示す。図５〜図７では、人，カード１，停留所基地局４，車載基地局５，バス停留所２等に分けて（ａ）〜（ｆ）の場合を図示している。
【００２１】
図５の（ａ）で示すバス停留所２でのバス待ち時では、カード１のキー１２〜１４を用いて目的地名を入力し、カード１を持ってバス停留所２の近くに行くと、カード１から停留所基地局４への無線通信により  カードのＩＤと目的地名を送信する。目的地名を受信した停留所基地局４は、受信した目的地へ行くバスが、この停留所を発着するか否かを判断し、発着しない場合には、利用不可能情報をカードへ送信し、該情報を受け取ったカードは、ディスプレイによる表示、あるいはサウンダ１５による音声でカード所持者へ通知する。目的地へ行くバスが発着する場合は、停留所基地局４の待ち客リストへ登録する。
【００２２】
図５の（ｂ）で示すバスが停留所接近時では、停留所基地局４が送信する停留所名情報を車載基地局５が受信すると、車載基地局５はバス位置情報を更新し、バスのＩＤ，系統番号や行き先等のバス情報を送信し、これを受信した停留所基地局４は、バス情報を登録し、この情報と待ち客リストを参照してバス利用予定者を選別し、該当者がいる場合には、そのＩＤ情報と利用可能なバスの系統や行き先情報を送信する。
【００２３】
停留所基地局４が送信するＩＤと一致するカード１は、ディスプレイ１１やサウンダ１５によって所持者へバスの接近について通知する。カード所持者は、この情報を元にそのバスに乗るか見送るか、あるいは行き先を変更するかをカード１に入力し、無線通信により停留所基地局４へ送信する。これを受信した停留所基地局４は、必要に応じて待ち客リストを更新し、接近中のバス利用者数を判断し、利用客数情報をバスへ送信する。これによって、バス停留所２でバスを待っている客は、自分の乗るべきバスの接近をカード１で知ることができ、かつ、バスの運転手は、バス停留所２に接近するだけで、バスに乗車する客が居るか否かの判断が可能になる。
【００２４】
図６の（ｃ）で示すバス乗車時では、待ち客がカード１を所持して乗車すると、カード１とバス車内のアンテナ５３を介した無線通信により、乗客のＩＤと目的地をカード１が車載基地局５へ送信し、情報を受信した車載基地局５は、客の目的地にバスが行く場所は乗客リストに受信情報と乗車停留所名としてバス位置情報を登録し、停留所別降者客リストを更新する。バスが目的地へ行かない場合には、利用不可能であることをカードに通知する。これにより、バスが連なって来た場合でも、利用客がバスを乗り間違えることを避けられる。
【００２５】
バス車内においては、図６の（ｄ）で示すように、乗車中客が目的地を変更する場合では、新しい目的地をカード１へ入力し、情報を車内アンテナ５３を介した無線通信により車載基地局５へ送信することで、乗客リストや停留所別降車客リストを更新する。変更した目的地へバスが行かない場合には、そのことをカードに通知することは言うまでもない。
【００２６】
図７の（ｅ）で示す停留所接近時では、車載基地局５が停留所基地局４からの停留所名情報を受信すると、バスのＩＤ・系統番号・行き先を停留所基地局４へ送信し、バスの位置情報を更新し、車内アナウンスをする。かつ、乗客リストを参照し、降車予定客を選別し、該当者のＩＤと目的地到着の情報をカードへ送信する。該送信情報を受け取ったＩＤに対応するカード１は、表示や音声でカード所持者へ通知する。降車予定停留所到着通知を受けた乗客は、降車するか否かを判断してカード１へ入力し、無線通信を介して車載基地局５へ送信する。この送信情報を受信した車載基地局５は、必要に応じて登録情報や停留所別降車客リストを更新し、該停留所での降車客の有無を判断し、客数を運転席のディスプレイに表示するとともに、降車客に対して運賃を計算し、該当カード１へ金額を請求する。請求情報を受信したカード１は、電子現金に代表される支払い情報を送信し、受信した車載基地局５は、乗客リストを更新する。これによって運賃精算が完了する。カード１の支払能力設定は、プリペイド方式やクレジット方式などの様々な方法を用いることができる。なお、上記では乗車客に対し運賃支払いの処理を行ったが、均一料金区間であれば乗車客に対し運賃支払いの処理を行ってもよい。
【００２７】
また図７の（ｆ）に、本発明における、目的地をカード１に入力する方法についての他の実施例を示す。本実施例では、カード所持者がバス停留所に行き、バスの系統や行き先などの路線情報要求コマンドを無線通信を利用して停留所基地局４に送信する。該送信情報を受信した停留所基地局４は、路線情報をカード１へ送信する。該情報を受信したカード１は、ディスプレイ１１に表示あるいは、リストを音声で伝え、カード所持者は、該当する目的地をカーソルやボタン等を用いて確定し、停留所基地局４へ送信する。該情報を受信した停留所基地局４は、待ち客リストに登録する。このように、本実施例においては、カーソル移動や確定ボタン等、簡単な入力機能だけを有するカードが使用できることになる。
【００２８】
【発明の効果】
以上のように、本発明は、利用者選別方法、固定基地局、移動基地局において、利用者選別手順（手段）を備えているので、不案内な場所へ交通機関を利用して行く場合に、交通機関の路線系統などの情報を知らなくても、安心して目的地に行き、かつ運賃精算もできるシステムが実現できる。
【００２９】
また、本発明の各利用者選別方法により目的地名の設定，待ち客に関する情報の送信、移動体に関する情報の割り込み、選別された待ち客に関する情報、目的地が接近したことの情報、運賃の支払いに関する情報等の自動入力等の合理的な使用をはかることができる。
【図面の簡単な説明】
【図１】本発明によるバスカードシステムの構成を示すブロック図とカードの平面図である。
【図２】本発明に用いるカードの詳細を示す機能ブロック図である。
【図３】本発明に用いる停留所基地局の詳細を示す機能ブロック図である。
【図４】本発明に用いるバス車載基地局の詳細を示す機能ブロック図である。
【図５】本発明によるシステムの制御フロー例の図である。
【図６】本発明によるシステムの制御フロー例の図である。
【図７】本発明によるシステムの制御フロー例の図である。
【符号の説明】
１  カード
１Ａ  Ｉ／Ｏドライバ
１Ｂ  記憶回路
１Ｃ  制御回路
１Ｄ  変復調回路
１Ｅ  ＲＦ回路
１Ｆ  アンテナ
１Ｇ  電池
２  バス停留所
３  バス
４  停留所基地局
５  車載基地局
５Ａ  Ｉ／Ｏドライバ
５Ｂ  ディスプレイ
５Ｃ  サウンダ
５Ｄ  キー
５Ｅ  ボタン
１１  カードの表示デバイス
１２  ボタン
１３  カーソルキー
１４  テンキー
１５  サウンダ
４１  停留所基地局の制御部
４２  停留所基地局のアンテナ
４３  制御部とアンテナを結ぶケーブル
４４  ＲＦ回路
４５  変復調回路
４６  制御回路
４７  記憶回路
４８  電源回路
５１  車載基地局の本体
５２  車載基地局の車外アンテナ
５３  車載基地局の車内アンテナ
５４  アンテナと制御部をつなぐケーブル
５５  ＲＦ回路
５６  変復調回路
５７  制御回路
５８  記憶回路
５９  電源回路
【図１】
0003580338.tif 000002
【図２】
0003580338.tif 000003
【図３】
0003580338.tif 000004
【図４】
0003580338.tif 000005
【図５】
0003580338.tif 000006
【図６】
0003580338.tif 000007
【図７】
0003580338.tif 000008